(57)【要約】【課題】本発明は、不良品が排出コンベア側に引き込まれて良品に混入することを防止できる棒状体選別機を提供することを目的とする。【解決手段】本発明は、棒状体を検出する光学検出手段と、光学検出手段による検出信号に基づいて棒状体の良品・不良品を判別する判別手段と、を備える棒状体選別機であって、棒状体を移送する移送手段と、移送手段の下流側に配設され、移送手段の端部から落下する棒状体の良品を排出する排出コンベアと、移送手段と排出コンベアとの間に配設され、判別手段による判別結果に基づいて棒状体の不良品を排出コンベア外へ向けて排除するエジェクタ手段と、排出コンベアの上方であってエジェクタ手段よりも下方に配設される誘導部材と、をさらに備え、誘導部材は、移送手段の端部から落下する棒状体の良品を排出コンベア側へ誘導し、エジェクタ手段により排除された棒状体の不良品を排出コンベア外へ誘導することを特徴とする。【選択図】図１
2018202305.tif 000002
【特許請求の範囲】
【請求項１】
棒状体を検出する光学検出手段と、
前記光学検出手段による検出信号に基づいて前記棒状体の良品・不良品を判別する判別手段と、を備える棒状体選別機であって、
棒状体を移送する移送手段と、
前記移送手段の下流側に配設され、前記移送手段の端部から落下する前記棒状体の良品を排出する排出コンベアと、
前記移送手段と前記排出コンベアとの間に配設され、前記判別手段による判別結果に基づいて前記棒状体の不良品を前記排出コンベア外へ向けて排除するエジェクタ手段と、
前記排出コンベアの上方であって前記エジェクタ手段よりも下方に配設される誘導部材と、をさらに備え、
前記誘導部材は、前記移送手段の端部から落下する前記棒状体の良品を前記排出コンベア側へ誘導し、前記エジェクタ手段により排除された前記棒状体の不良品を前記排出コンベア外へ誘導することを特徴とする棒状体選別機。
【請求項２】
前記誘導部材は駆動ローラであり、前記判別手段の良品判別結果に基づいて前記排出コンベアの駆動方向に回転駆動され、前記判別手段の不良品判別結果に基づいて前記回転駆動が停止される請求項１記載の棒状体選別機。
【請求項３】
前記エジェクタ手段は排除板であり、上部を支点として前記棒状体の落下軌跡の前後方向に揺動可能に配設される請求項１又は２記載の棒状体選別機。
【請求項４】
前記排除板の下端側が前記棒状体の不良品を前記落下軌跡から前記排出コンベア外へ向けて排除する方向に屈折する請求項３記載の棒状体選別機。
【請求項５】
前記移送手段は傾斜配置されたシュートであって、前記棒状体は前記シュート上を移送方向に直交する状態で流下し、
前記検出手段は前記シュートの下端から落下する前記棒状体を検出可能に配設される請求項１乃至４のいずれかに記載の棒状体選別機。
【発明の詳細な説明】
【技術分野】
【０００１】
本発明は、ロングパスタ、棒拉麺、素麺等の棒状乾麺、その他の棒状体から着色やクラック等が発生した不良品を除去する棒状体選別機に関する。
【背景技術】
【０００２】
従来、スパゲッティ等のロングパスタや素麺等の棒状食品において、クラックや色むらの発生を検出し、不良品を分別する装置が知られている（特許文献１，２参照）。
【０００３】
特許文献１に記載された分別装置は、麺類を搬送する搬送コンベアと、前記麺類におけるクラックの発生量を検出するクラック検出手段を備え、前記搬送コンベアの下流側に回動可能なシュート、前記シュートの下流側に排出コンベアが配置されるものである。
【０００４】
特許文献１に記載された分別装置において、前記クラック検出手段で検出されるクラックの発生量が所定値未満である麺類は、前記シュートを介して前記搬送コンベアから前記排出コンベアへ搬送される一方、前記クラックの発生量が所定値以上である麺類は、前記シュートが下方へ回動し、前記搬送コンベアと前記排出コンベアの間に落下空間が形成され、異常品として前記シュートの下方に配置された回収部に落下回収される。
【０００５】
特許文献２に記載された分別装置は、パスタを搬送する搬送コンベアと、前記パスタを連続撮影するＣＣＤカメラと、前記カメラにより撮影された画像を処理して局部的に生じた色むらの程度から異色パスタを検出する画像処理装置を備え、前記搬送コンベアの後端部に所定の間隔をとって排出コンベアが配装され、前記搬送コンベアの後端部上方に上下方向に揺動可能で先端に誘導板を垂設してなる揺動部材が設けられるものである。
【０００６】
特許文献２に記載された分別装置において、前記搬送コンベアから正常に排出されるパスタは、慣性により自然落下し前記排出コンベアに移載されて次工程に移行する一方、排除すべきと判断された異色パスタは、前記揺動部材が下方へ揺動し、前記揺動部材の先端に垂設される誘導板が前記異色パスタの前に立ちはだかることで、前記搬送コンベアと前記排出コンベアの間に設けた排出ホッパに誘導されて落下回収される。
【０００７】
ところで、特許文献１に記載された分別装置は、異常品を分別するためにシュートが下方へ回動し、搬送コンベアと排出コンベアの間に落下空間が形成されるものであり、異常品を前記落下空間に落下させて前記シュートを元の位置に戻すまでに長い時間を要するため、異常品の排除に際し多くの正常品を巻き込んで排除してしまう問題がある。
また、特許文献１に記載された分別装置は、麺類が棒状の長尺物であるために落下空間へ落下する際の姿勢が一定でなく、異常品が排出コンベアの始端側に接触し、前記排出コンベア側に引き込まれて正常品に混入する虞がある。
【０００８】
他方、特許文献２に記載された分別装置は、前記揺動部材が下方へ揺動し、前記揺動部材の先端に垂設される誘導板が前記異色パスタの前に立ちはだかるものであり、異色パスタの落下方向を誘導し前記誘導板を退避させるまでの時間が短く、異色パスタの排除に際し正常パスタの巻き込み量を少なくすることができる。
しかしながら、特許文献２に記載された分別装置も、誘導板によって排出ホッパに誘導される異色パスタが排出コンベアの始端側に接触し、前記排出コンベア側に引き込まれて正常パスタに混入する虞がある。
【先行技術文献】
【特許文献】
【０００９】
【特許文献１】特開２０１３−２４６４１号公報
【特許文献２】特開２００５−３２４１０１号公報
【発明の概要】
【発明が解決しようとする課題】
【００１０】
そこで、本発明は、不良品が排出コンベア側に引き込まれて良品に混入することを防止できる棒状体選別機を提供することを目的とする。
【課題を解決するための手段】
【００１１】
上記目的を達成するため、本発明は、
棒状体を検出する光学検出手段と、
前記光学検出手段による検出信号に基づいて前記棒状体の良品・不良品を判別する判別手段と、を備える棒状体選別機であって、
棒状体を移送する移送手段と、
前記移送手段の下流側に配設され、前記移送手段の端部から落下する前記棒状体の良品を排出する排出コンベアと、
前記移送手段と前記排出コンベアとの間に配設され、前記判別手段による判別結果に基づいて前記棒状体の不良品を前記排出コンベア外へ向けて排除するエジェクタ手段と、
前記排出コンベアの上方であって前記エジェクタ手段よりも下方に配設される誘導部材と、をさらに備え、
前記誘導部材は、前記移送手段の端部から落下する前記棒状体の良品を前記排出コンベア側へ誘導し、前記エジェクタ手段により排除された前記棒状体の不良品を前記排出コンベア外へ誘導することを特徴とする。
【００１２】
本発明は、
前記誘導部材が駆動ローラであり、前記判別手段の良品判別結果に基づいて前記排出コンベアの駆動方向に回転駆動され、前記判別手段の不良品判別結果に基づいて前記回転駆動が停止されることが好ましい。
【００１３】
本発明は、
前記エジェクタ手段が排除板であり、上部を支点として前記棒状体の落下軌跡の前後方向に揺動可能に配設されることが好ましい。
【００１４】
本発明は、
前記排除板の下端側が前記棒状体の不良品を前記落下軌跡から前記排出コンベア外へ向けて排除する方向に屈折することが好ましい。
【００１５】
本発明は、
前記移送手段が傾斜配置されたシュートであって、前記棒状体が前記シュート上を移送方向に直交する状態で流下し、
前記検出手段が前記シュートの下端から落下する前記棒状体を検出可能に配設されることが好ましい。
【発明の効果】
【００１６】
本発明の棒状体選別機は、排出コンベアの上方であってエジェクタ手段よりも下方に配設される誘導部材を備え、前記誘導部材が、移送手段の端部から落下する棒状体の良品を排出コンベア側へ誘導し、エジェクタ手段により排除された前記棒状体の不良品を前記排出コンベア外へ誘導するので、不良品が排出コンベア側に引き込まれて良品に混入することを防止できる。
【００１７】
本発明の棒状体選別機は、前記誘導部材が駆動ローラであり、判別手段の良品判別結果に基づいて前記排出コンベアの駆動方向に回転駆動され、前記判別手段の不良品判別結果に基づいて前記回転駆動が停止されることとすれば、棒状体の良品については前記ローラの回転力により前記排出コンベア側へ確実に誘導することができ、棒状体の不良品については前記ローラの回転駆動が停止されるため前記排出コンベア外へ確実に誘導し落下させることができる。
【００１８】
本発明の棒状体選別機は、エジェクタ手段が排除板であり、上部を支点として棒状体の落下軌跡の前後方向に揺動可能に配設されることとすれば、移送手段の端部から落下する際の落下軌跡から棒状体の不良品を簡単かつ確実に排除できる。また、前記棒状体の不良品を前記落下軌跡から排除した後は前記排除板を短時間で元の位置に戻すことができるので、不良品の排除に際しての良品の巻き込み量を少なくすることができる。
【００１９】
本発明の棒状体選別機は、排除板の下端側が棒状体の不良品を落下軌跡から排出コンベア外へ向けて排除する方向に屈折することとすれば、不良品の排除に際しての良品の巻き込み量をさらに少なくすることができる。
【００２０】
本発明の棒状体選別機は、移送手段が傾斜配置されたシュートであって、棒状体が前記シュート上を移送方向に直交する状態で流下し、検出手段が前記シュートの下端から落下する前記棒状体を検出可能に配設されることとすれば、棒状体を移送方向に平行する状態で移送する場合に比べて処理能力が向上するとともに、装置をコンパクトに小型化することができる。
【図面の簡単な説明】
【００２１】
【図１】本発明の実施の形態における棒状体選別機の要部側断面図。
【図２】図１の要部拡大図。
【図３】棒状体の良品が良品排出コンベア上へ落下する様子の説明図。
【図４】棒状体の不良品が排除板によって排除される様子の説明図。
【図５】ガイドローラが棒状体の良品を誘導する様子の説明図。
【図６】ガイドローラが棒状体の不良品を誘導する様子の説明図。
【図７】仕切板が棒状体の良品を誘導する様子の説明図。
【図８】仕切部材が棒状体の不良品を誘導する様子の説明図。
【発明を実施するための形態】
【００２２】
本発明の実施の形態について図面を参照しながら説明する。
図１は本発明の実施の形態における棒状体選別機の内部構造を説明する要部側断面図を示す。図２は本発明の実施の形態における棒状体選別機の要部拡大図を示す。
本発明の実施の形態における棒状体選別機１は、原料供給部２、シュート３、光学選別部４を備える。ここでは、棒状体の一例としての棒状乾麺を原料とする場合を例として説明する。
【００２３】
前記原料供給部２は、原料としてロングパスタ、棒拉麺、素麺等の棒状乾麺を貯留する原料ホッパ２１と前記原料ホッパ２１から棒状乾麺を繰り出す振動フィーダ２２を有する。前記振動フィーダ２２はロングパスタの供給方向に向けて前方へ緩やかに傾斜する。前記振動フィーダ２２はバイブレータ等を有する第１振動発生装置２４に載置固定され、前記第１振動発生装置２４における振動数等を調整することで棒状乾麺の移動量等を制御する。
【００２４】
前記シュート３は、振動シュート３１と、該振動シュート３１の先端側に微小な隙間を介して配設される固定シュート３２を有する。前記振動シュート３１及び前記固定シュート３２は棒状乾麺の移送方向に向けて急傾斜状に配置される。前記振動シュート３１は第２振動発生装置３７に載置固定され、前記第２振動発生装置３７における振動数等を調整することで棒状乾麺の移送量等を制御する。前記固定シュート３２は両側部が筐体に固定支持され、当該シュート３下端から落下するロングパスタの放出位置を一定の位置に固定する。
【００２５】
前記光学選別部４は、棒状乾麺の落下軌跡の前後に配設される一対の光学検出装置４１ａ，４１ｂ、前記光学検出装置４１ａ，４１ｂの検出信号に基づいて前記棒状乾麺の良品・不良品を判別する図示しない判別装置を有する。
【００２６】
前記各光学検出装置４１ａ，４１ｂは、ＣＣＤ等のラインセンサやエリアセンサを内蔵するＣＣＤカメラ等の撮像手段４１１ａ，４１１ｂ、前記棒状乾麺の検出位置を照明するＬＥＤ光源等の照明手段４１２ａ，４１２ｂ、前記検出位置において前記撮像手段により前記棒状乾麺を撮像する際の背景となるバックグラウンド４１３ａ，４１３ｂを有する。
【００２７】
前記光学選別部４は、前記シュート３下端から落下する前記棒状乾麺の落下軌跡上に始端側が位置するよう前記シュート３の移送方向の下流側に配設される良品排出コンベア４２、前記良品排出コンベア４２の終端側に配設されて良品乾麺が落下する良品排出カスケードシュート４３及び前記良品排出カスケードシュート４３から落下する良品乾麺を回収する良品回収箱４４を有する。
【００２８】
また、前記光学選別部４は、前記判別装置の判別結果に基づいて不良品を前記落下軌跡から前記良品排出コンベア４２外へ向けて排除する排除板４５、前記排除板４５により排除された不良品乾麺が落下する不良品排出カスケードシュート４６及び前記不良品排出カスケードシュート４６から落下する不良品乾麺を回収する不良品回収箱４７を有する。前記排除板４５は、下端側が前記不良品を前記落下軌跡から排除する方向に屈折し、上部を支点として前記棒状乾麺の落下軌跡の前後に揺動可能に配設される。
【００２９】
前記光学選別部４は、前記良品排出コンベア４２の始端側上方であって前記排除板４５よりも下方に配設されるガイドローラ４８をさらに有する。前記ガイドローラ４８は、前記棒状乾麺の落下軌跡近傍であって回転軸が前記落下軌跡よりも前記シュート３側、即ち不良品が排除される側に位置するように配設される。前記ガイドローラ４８はモータ等により回転駆動される駆動ローラであり、前記判別装置の良品判別信号に基づいて前記良品排出コンベア４２の駆動方向と同じ方向に回転駆動され、前記判別装置の不良品判別結果に基づいて前記回転駆動が停止される。
【００３０】
次に、本発明の実施の形態における棒状体選別機の作用について説明する。
図３は棒状体の良品が良品排出コンベア上へ落下する様子の説明図を示す。図４は棒状体の不良品が排除板によって排除される様子の説明図を示す。図５はガイドローラが棒状体の良品を誘導する様子の説明図を示す。図６はガイドローラが棒状体の不良品を誘導する様子の説明図を示す。
【００３１】
本発明の実施の形態における棒状体選別機１は、原料供給部２において、原料となる棒状乾麺が紙面に垂直な向きとなるよう前記原料ホッパ２１に積層状態に貯留され、前記振動フィーダ２２の操出方向に直交する状態で順次前記振動フィーダから繰り出される。
【００３２】
前記振動フィーダ２２から前記シュート３へ繰り出された棒状乾麺は、前記振動シュート３１の表面を移送方向に直交する状態で流下する。その際、前記棒状乾麺は、前記振動シュート３１の振動作用により積層状態が解消されながら前記振動シュート３１の表面を流下し、前記固定シュート３２の下端である一定の位置から放出され、所定の落下軌跡に沿って前記落下方向に直交する状態で落下する。
【００３３】
前記シュート３の下端から所定の落下軌跡に沿って落下方向に直交する状態で落下する棒状乾麺は、前記検出位置において一対の光学検出装置４１ａ，４１ｂにおける前記撮像手段４１１ａ，４１１ｂにより撮像される。前記撮像手段４１１ａ，４１１ｂにより撮像された棒状乾麺は、図示しない前記判別装置において撮像信号における光量や色成分の信号レベルがしきい値と比較され、着色やクラックの発生等が検出されて良品と不良品のいずれかに判別される。
【００３４】
前記判別装置において良品に判別された棒状乾麺は、図３に示すように、前記所定の落下軌跡に沿って前記良品排出コンベア４２の始端側に向けて落下し、前記良品排出コンベア４２上を搬送されて終端側から前記良品排出カスケードシュート４３へ落下し、前記良品回収箱４４に回収される。
【００３５】
また、前記判別装置において不良品に判別された棒状乾麺は、図４に示すように、前記判別装置から送られる不良品の排除信号に基づいて、前記排除板４５の揺動駆動により前記所定の落下軌跡から前記良品排出コンベア４２と反対側へ向けて排除され、前記不良品排出カスケードシュート４６へ落下し、前記不良品回収箱４７に回収される。
【００３６】
本発明の実施の形態において、棒状乾麺が良品と判別される場合、前記ガイドローラ４８は前記良品排出コンベア４２の搬送方向と同じ方向に回転駆動される。したがって、本発明の実施の形態における棒状体選別機１によれば、図５に示すように、良品乾麺が前記良品排出コンベア４２の始端側に向けて落下する際に前記ガイドローラ４８に当接した場合でも、前記良品乾麺を確実に前記良品排出コンベア４２側へ誘導することができる。
【００３７】
また、本発明の実施の形態において、棒状乾麺が不良品と判別される場合、前記ガイドローラ４８の回転が停止される。したがって、本発明の実施の形態における棒状体選別機１によれば、図６に示すように、不良品乾麺が前記所定の落下軌跡から排除されて前記不良品カスケードシュート４６へ落下する際に前記ガイドローラ４８に当接した場合でも、前記不良品乾麺を確実に前記不良品排出カスケードシュート４６へ誘導し落下させることができる。
【００３８】
本発明の実施の形態において、前記ガイドローラ４８は、回転軸が棒状乾麺の落下軌跡よりもシュート３側、即ち不良品が排除される側に位置するように配設されることとしたが、良品乾麺を良品排出コンベア４２側へ誘導し、不良品乾麺を不良品排出カスケードシュート４６へ誘導し落下させて前記良品排出コンベア４２側に引き込まれることを防止できるのであれば、前記回転軸の位置を任意に設定することができる。
【００３９】
なお、本発明の実施の形態において、シュート３の下端から落下する良品乾麺を良品排出コンベア４２側へ誘導し、排除板４５により排除された不良品乾麺を前記良品排出コンベア４２外へ誘導し前記不良品排出カスケードシュート４６へ落下させるガイドローラ４８として駆動ローラを用いることとしたが、良品乾麺を良品排出コンベア４２側へ誘導し、不良品乾麺を不良品排出カスケードシュート４６へ誘導し落下させることができるのであれば固定ローラや回転自在な回転ローラを用いることもできる。また、良品乾麺を良品排出コンベア４２側へ誘導し、不良品乾麺を不良品排出カスケードシュート４６側へ誘導できるのであれば、ローラに代えて、図７に示すような仕切板４９や図８に示すような断面三角形状の仕切部材５０等、他の誘導部材を用いることもできる。
【００４０】
本発明の実施の形態において、不良品を落下軌跡から排除するエジェクタ手段として、上部を支点として棒状乾麺の落下軌跡の前後方向に揺動可能に配設される排除板４５を用いるので、前記不良品を前記所定の落下軌跡から簡単かつ確実に排除することができ、不良品が排出コンベア側に引き込まれて良品に混入することを防止できる。また、前記不良品を前記所定の落下軌跡から排除した後は前記排除板４５を短時間で元の位置に戻すことができるので、不良品の排除に際し良品の巻き添え量を少なくすることができる。
【００４１】
なお、前記排除板４５の下端側は必ずしも屈折する必要はないが、前記排除板４５の下端側が不良品を落下軌跡から排出コンベア外へ排除する方向に屈折するものであれば、不良品の排除に際して良品の巻き込み量を少なくする上で好ましい。
【００４２】
本発明の実施の形態において、棒状乾麺を光学検出装置で検出する位置に移送する手段として傾斜配置されるシュート３を用いることとしたが、例えば水平配置されるコンベアを用いることもできる。また、その場合、前記棒状乾麺を移送手段上において検出することもできる。
【００４３】
本発明の実施の形態において、不良品に判別された棒状乾麺を排除するエジェクタ手段として排除板４５を用いることとしたが、エアを用いることもできる。
【００４４】
本発明の実施の形態において、棒状乾麺を検出する検出手段として、落下軌跡の前後に配設される一対の光学検出装置４１ａ，４１ｂを用いることとしたが、例えば落下軌跡の前後いずれか一方のみに配設される光学検出装置を用いることもできる。
【００４５】
本発明の実施の形態では、原料としてロングパスタ、棒拉麺、素麺等の棒状乾麺を例として説明したが、これに限るものでなく、その他の棒状体を原料とすることもできる。
【００４６】
本発明の棒状体選別機は、上記実施の形態に限らず、本発明の範囲を逸脱しない限りにおいて、その構成を適宜変更できることはいうまでもない。
【産業上の利用可能性】
【００４７】
本発明の棒状体選別機は、不良品が排出コンベア側に引き込まれて良品に混入することを防止できるものであり、極めて実用性が高い。
【符号の説明】
【００４８】
１      棒状体選別機
２      原料供給部
２１      原料ホッパ
２２      振動フィーダ
２４      第１振動発生装置
３      シュート
３１      振動シュート
３２      固定シュート
３７      第２振動発生装置
４      光学選別部
４１ａ，４１ｂ      光学検出装置
４２      良品排出コンベア
４３      良品排出カスケードシュート
４４      良品回収箱
４５      排除板
４６      不良品排出カスケードシュート
４７      不良品回収箱
４８      ガイドローラ
４９      仕切板
５０      仕切部材
【図１】
2018202305.tif 000003
【図２】
2018202305.tif 000004
【図３】
2018202305.tif 000005
【図４】
2018202305.tif 000006
【図５】
2018202305.tif 000007
【図６】
2018202305.tif 000008
【図７】
2018202305.tif 000009
【図８】
2018202305.tif 000010